(57)【要約】  【課題】  電源回路基板のアース接続を簡単且つ安価に行える電子機器のアース構造を提供する。  【解決手段】  複数の電源部品が実装されて成る電源回路基板２が、絶縁ケース３に収容されてビス４によって締め付けされて保持されつつ、本体筐体の背面を構成する導電性のリアパネル１に対向した起立姿勢で本体筐体内に設置される。リアパネル１の縁から内側に伸び出して電源回路基板２に沿って折曲する突片部１ａがリアパネル１に形成されている。突片部１ａと電源回路基板２とが、ビス４Ａによって共締めされて接続される。【選択図】      図３
2007059070.tif 000002
【特許請求の範囲】
【請求項１】
外部から電力の供給を受け付ける主電源部品を含む複数の電源部品が実装されて成る矩
形の電源回路基板が、絶縁ケースに収容されてその四隅部をビスによって締め付けされて
保持されつつ、本体筐体の背面を構成する導電性の背面板に対向した起立姿勢で本体筐体
内に設置されるとともに、前記本体筐体内に、前記電源回路基板からの電力によって互い
に駆動するビデオテープ装置とＤＶＤ装置とを左右に並べて備える電子機器のアース構造
であって、
前記電源回路基板が前記ＤＶＤ装置の背後に設置され、前記主電源部品が前記ビスのう
ちの下隅部の一方のビスの近傍に実装されており、
前記背面板と導通性の板金具とが、ビスによって共締めされて接続されるとともに、前
記板金具と前記電源回路基板とが、前記主電源部品の近傍の前記ビスによって共締めされ
て接続される電子機器のアース構造において、
前記板金具を排除し、
前記背面板の下縁から内側に伸び出して前記電源回路基板に沿って折曲する突片部が前
記背面板に形成されていて、その突片部と前記電源回路基板とが、前記主電源部品の近傍
の前記ビスによって共締めされて接続されることを特徴とする電子機器のアース構造。
【請求項２】
複数の電源部品が実装されて成る電源回路基板が、絶縁ケースに収容されて保持されつ
つ、本体筐体の背面を構成する導電性の背面板に対向した起立姿勢で本体筐体内に設置さ
れる電子機器のアース構造であって、
前記背面板から内側に突出する突片部が前記背面板に形成されていて、その突片部と前
記電源回路基板とが接続されることを特徴とする電子機器のアース構造。
【請求項３】
前記突片部が前記背面板の縁から内側に伸び出して前記電源回路基板に沿って折曲して
いることを特徴とする請求項２に記載の電子機器のアース構造。
【請求項４】
前記突片部と前記電源回路基板との接続位置が、前記電源部品のうちで外部から電力の
供給を受け付ける主電源部品の近傍であることを特徴とする請求項２又は３に記載の電子
機器のアース構造。
【請求項５】
前記電源回路基板が前記絶縁ケースに複数個所をビスによって締め付けされて保持され
、前記突片部と前記電源回路基板とが前記ビスのうちの１つのビスによって共締めされて
接続されることを特徴とする請求項２〜４のいずれかに記載の電子機器のアース構造。
【請求項６】
前記本体筐体内に、前記電源回路基板からの電力によって互いに駆動するビデオテープ
装置とＤＶＤ装置とを左右に並べて備えることを特徴とする請求項２〜５のいずれかに記
載の電子機器のアース構造。
【発明の詳細な説明】
【技術分野】
【０００１】
本発明は、ビデオテープレコーダやＤＶＤ（Digital Versatile Disk）レコーダやＨＤ
Ｄ（Hard Disk Drive）レコーダ等の電子機器のアース構造に関する。
【背景技術】
【０００２】
従来一般の電子機器では、外形を構成する本体筐体の内部に、回路基板が水平姿勢で設
置されている。この回路基板は、外部から電力の供給を受け付けて機器内で取り扱える状
態に処理する電源回路と、搭載したビデオテープ装置やＤＶＤ装置等を含む機器全体の駆
動を制御する制御回路とを有する。ビデオテープ装置等は、電源回路からの電力によって
制御回路より指令を受け駆動する。
【０００３】
一方近年では、本体筐体内に、例えばビデオテープ装置とＤＶＤ装置とを一体に搭載し
た複合型の電子機器が一般市場に広く登場している。この電子機器では、本体筐体の大型
化を抑えることを主眼に、本体筐体内のスペースを有効に活用すべく、上記した回路基板
から電源回路の部分を電源回路基板として分離し、この電源回路基板を本体筐体の背面に
対向した起立姿勢で設置するようにしたものがある。
【０００４】
このような電子機器について、図４〜図６を参照しながら説明する。図４は従来の電子
機器における電源回路基板に関する要部を示す背面図、図５はその底面図、図６は図５の
Ｂ−Ｂ断面図である。
【０００５】
電子機器の外形を構成する本体筐体は、概ね箱形であって、背面となるリアパネル１と
、底面となるボトムケース（不図示）と、上面及び左右側面となるトップケース（不図示
）と、正面となるフロントパネル（不図示）とが組み付けられて成るものである。ここで
のリアパネル１、ボトムケース及びトップケースは、いずれも導電性を有する亜鉛鋼板等
の金属板より板金成形されたものであって、互いに、金属製のビスによって締め付けされ
て組み付けられる。本体筐体の内部には、ビデオテープ装置とＤＶＤ装置とを左右に並べ
て備える。フロントパネルには、操作キーや表示部やリモコン端末用受信部等が設けられ
ている他、ビデオテープ装置に対してテープカセットを抜き差しするためのカセット出入
口と、ＤＶＤ装置に対してＤＶＤが載置されたディスクトレイを突出入させるためのトレ
イ出入口が設けられている。
【０００６】
ここで、機器全体の駆動を制御する制御回路が形成された制御回路基板（不図示）は、
本体筐体の内部において、ビデオテープ装置とＤＶＤ装置の下に、ボトムケースに対向し
た水平姿勢で設置されている。他方、電源回路基板２は、トランス、コンデンサ、スイッ
チングトランジスタ、ラインフィルタ、整流ダイオード等の電源部品が実装されて成る矩
形のものであって、本体筐体の内部において、ＤＶＤ装置の背後に、リアパネル１に対向
した起立姿勢で設置されている。
【０００７】
但し、電源回路基板２は、絶縁性を有するＰＳ（ポリスチレン）やＡＢＳ（アクリロニ
トリル・ブタジエン・スチレン共重合体）等の合成樹脂より成型された絶縁ケース３に収
容されて保持され、その背面と周囲とを絶縁ケース３によって取り囲まれている。ここで
の電源回路基板２は、上下左右の四隅部を、絶縁ケース３より内側に突出する４つのボス
３ａそれぞれで支持され、その各部分を金属製のビス４によって締め付けされることで絶
縁ケース３に保持される。そして、絶縁ケース３は、リアパネル１に対し、絶縁ケース３
の背面より突出する突起３ｂが、リアパネル１に形成された穴１ｂに挿入されて位置決め
され、更に、複数個所を外部からビス５によって締め付けされることで固定される。
【０００８】
なお、ここでの絶縁ケース３は、電源回路基板２の保持だけでなく、部品点数を削減す
る観点から、冷却ファンユニットの保持にも兼用される。例えば、電源回路基板２に隣接
して、冷却ファンユニット（不図示）が保持されるようになっており、リアパネル１には
、本体筐体内に生じた熱気をその冷却ファンユニットを通じて外部へ排出する通気孔１ｃ
が形成されている。
【０００９】
ところで、このような電子機器においては、電源回路基板２に外部からの電力供給に伴
う不用意なノイズが滞らないように、電源回路基板２をアースしておくことが要求される
。そのため、従来は、導電性を有する板金具１１を介して、電源回路基板２とリアパネル
１との両者を電気的に接続していた（例えば、特許文献１、２参照）。これは、絶縁ケー
ス３への電源回路基板２の保持に用いられるビス４のうちの下隅部の一方のビス４Ａによ
って、その板金具１１の一端部を電源回路基板２と共締めし、更に、その板金具１１の他
端部をリアパネル１に対し外部から金属製のビス１２によって締め付けて固定することで
なされる。
【００１０】
ここで、板金具１１が電源回路基板２とビス４Ａの位置で接続されているが、これは、
電源回路基板２に実装された電源部品のうち、外部からの電力の供給を受け付ける主電源
部品、例えばトランスがそのビス４Ａの近傍に実装されており、アース性能すなわちノイ
ズの除去に有効な位置であるからである。
【特許文献１】特開２００１−３３２３１８号公報
【特許文献２】特開平８−７９４１号公報
【発明の開示】
【発明が解決しようとする課題】
【００１１】
しかし、上記したようなアース構造では、電源回路基板２とリアパネル１との両者を電
気的に接続するために、別部品として板金具１１が必要であることから、コスト的に不利
である。しかも、その板金具１１を取り付けるのに煩雑な作業を強いられるという問題も
ある。
【００１２】
そこで本発明は、上記の問題に鑑みてなされたものであり、電源回路基板のアース接続
を簡単且つ安価に行える電子機器のアース構造を提供することを目的とするものである。
【課題を解決するための手段】
【００１３】
上記目的を達成するため、本発明は、外部から電力の供給を受け付ける主電源部品を含
む複数の電源部品が実装されて成る矩形の電源回路基板が、絶縁ケースに収容されてその
四隅部をビスによって締め付けされて保持されつつ、本体筐体の背面を構成する導電性の
背面板に対向した起立姿勢で本体筐体内に設置されるとともに、前記本体筐体内に、前記
電源回路基板からの電力によって互いに駆動するビデオテープ装置とＤＶＤ装置とを左右
に並べて備える電子機器のアース構造であって、前記電源回路基板が前記ＤＶＤ装置の背
後に設置され、前記主電源部品が前記ビスのうちの下隅部の一方のビスの近傍に実装され
ており、前記背面板と導通性の板金具とが、ビスによって共締めされて接続されるととも
に、前記板金具と前記電源回路基板とが、前記主電源部品の近傍の前記ビスによって共締
めされて接続される電子機器のアース構造において、次の点を特徴とする。前記板金具を
排除し、前記背面板の下縁から内側に伸び出して前記電源回路基板に沿って折曲する突片
部が前記背面板に形成されていて、その突片部と前記電源回路基板とが、前記主電源部品
の近傍の前記ビスによって共締めされて接続される。
【００１４】
このようにすると、電源回路基板を背面板と一体の突片部を介して背面板にアース接続
できるため、そのアース接続には別部品が不要となり、安価である。しかも、そのアース
接続の作業は、突片部と電源回路基板との一個所での接続で足りるため、簡単に行える。
【００１５】
また、上記目的を達成するための本発明は、複数の電源部品が実装されて成る電源回路
基板が、絶縁ケースに収容されて保持されつつ、本体筐体の背面を構成する導電性の背面
板に対向した起立姿勢で本体筐体内に設置される電子機器のアース構造であって、前記背
面板から内側に突出する突片部が前記背面板に形成されていて、その突片部と前記電源回
路基板とが接続される。
【００１６】
このようにすると、電源回路基板を背面板と一体の突片部を介して背面板にアース接続
できるため、そのアース接続には別部品が不要となり、安価である。しかも、そのアース
接続の作業は、突片部と電源回路基板との一個所での接続で足りるため、簡単に行える。
【００１７】
ここで、実用性を踏まえつつ外観に配慮すれば、前記突片部が前記背面板の縁から内側
に伸び出して前記電源回路基板に沿って折曲していることが好ましい。
【００１８】
また、アース性能の有効性を考慮すれば、前記突片部と前記電源回路基板との接続位置
が、前記電源部品のうちで外部から電力の供給を受け付ける主電源部品の近傍であること
が好ましい。
【００１９】
また、アース接続の作業性をより考慮すれば、前記電源回路基板が前記絶縁ケースに複
数個所をビスによって締め付けされて保持され、前記突片部と前記電源回路基板とが前記
ビスのうちの１つのビスによって共締めされて接続されることが好ましい。
【００２０】
また、実用的には、前記本体筐体内に、前記電源回路基板からの電力によって互いに駆
動するビデオテープ装置とＤＶＤ装置とを左右に並べて備えることが好ましい。
【発明の効果】
【００２１】
本発明の電子機器のアース構造によれば、電源回路基板のアース接続を簡単且つ安価に
行える。
【発明を実施するための最良の形態】
【００２２】
以下に、本発明の電子機器のアース構造の一実施形態について、図面を参照しながら詳
述する。図１は本発明の一実施形態の電子機器における電源回路基板に関する要部を示す
背面図、図２はその底面図、図３は図２のＡ−Ａ断面図である。なお、これらの図中で図
４〜図６と同じ名称で同じ機能を果たす部分には同一の符号を付し、重複する説明は適宜
省略する。
【００２３】
本実施形態の電子機器は、ビデオテープ装置とＤＶＤ装置とを一体に搭載した複合型の
電子機器であって、本体筐体の内部に、ビデオテープ装置とＤＶＤ装置とを左右に並べて
備える。制御回路基板（不図示）は、本体筐体の内部において、ビデオテープ装置とＤＶ
Ｄ装置の下に、ボトムケースに対向した水平姿勢で設置されている。他方、電源回路基板
２は、複数の電源部品が実装されて成る矩形のものであって、本体筐体の内部において、
ＤＶＤ装置の背後に、リアパネル１に対向した起立姿勢で設置されている。
【００２４】
但し、電源回路基板２は、その背面と周囲とを取り囲まれるように絶縁ケース３に収容
され、絶縁ケース３からのボス３ａにその上下左右の四隅部をビス４によって締め付けさ
れて保持される。その絶縁ケース３は、リアパネル１にビス５によって締め付けされて固
定される。
【００２５】
また、電源回路基板２において、絶縁ケース３への電源回路基板２の保持に用いられる
ビス４のうちの下隅部の一方のビス４Ａの近傍には、実装された電源部品のうち、外部か
らの電力の供給を受け付ける主電源部品、例えばトランスが実装されている。
【００２６】
ここで、リアパネル１には、その下縁から内側に向けて（電子機器の正面に向けて）伸
び出して更に電源回路基板２に沿って折曲し、その先端部が上記のビス４Ａに至る突片部
１ａが形成されている。この突片部１ａの先端部は、そのビス４Ａによって、電源回路基
板２と共締めされる。こうして、電源回路基板２とリアパネル１との両者が、リアパネル
１と一体の突片部１ａを介して、電気的に接続（アース接続）される。
【００２７】
このようなアース構造では、電源回路基板２とリアパネル１とのアース接続に別部品が
不要となることから、安価である。しかも、そのアース接続の作業は、ビス４Ａの締め付
け、すなわち一個所での接続で足りるため、簡単に行える。特に、本実施形態では、絶縁
ケース３への電源回路基板２の保持に用いられるビス４Ａをアース接続にも活用している
ため、作業性はより優れる。また、電源回路基板２が主電源部品の近傍位置（ビス４Ａの
位置）でアース接続されているため、アース性能すなわちノイズの除去が有効に発揮でき
る。
【００２８】
その他本発明は上記の実施形態に限定されず、本発明の趣旨を逸脱しない範囲で、種々
の変更が可能である。例えば、リアパネル１と一体に形成する突片部１ａを、リアパネル
１そのものから切り起こして形成しても構わない。
【００２９】
また、電源回路基板２におけるアース接続位置については、アース性能を十分に発揮で
きる限り、いずれの位置でも構わない。また、リアパネル１からの突片部１ａと電源回路
基板２との接続手法は、絶縁ケース３への電源回路基板２の保持に用いられるビス４Ａに
よる共締めに限らず、例えば別のビスによる個別の締め付けでも構わない。
【００３０】
また、上記の実施形態では、ビデオテープ装置とＤＶＤ装置とを一体に搭載した電子機
器について説明したが、例えば、ビデオテープ装置とＨＤＤ装置とを一体に搭載したもの
や、三者を一体に搭載したもの、一者のみを搭載したものにも適用が可能である。
【産業上の利用可能性】
【００３１】
本発明は、ビデオテープレコーダやＤＶＤレコーダやＨＤＤレコーダ等の電子機器に有
用である。
【図面の簡単な説明】
【００３２】
【図１】本発明の一実施形態の電子機器における電源回路基板に関する要部を示す背面図である。
【図２】図１の底面図である。
【図３】図２のＡ−Ａ断面図である。
【図４】従来の電源回路基板に関する要部を示す背面図である。
【図５】図４の底面図である。
【図６】図５のＢ−Ｂ断面図である。
【符号の説明】
【００３３】
１    リアパネル（背面板）
１ａ    突片部
２    電源回路基板
３    絶縁ケース
４、４Ａ    ビス
５    ビス
【図１】
2007059070.tif 000003
【図２】
2007059070.tif 000004
【図３】
2007059070.tif 000005
【図４】
2007059070.tif 000006
【図５】
2007059070.tif 000007
【図６】
2007059070.tif 000008